【手続補正書】
【提出日】平成16年3月18日(2004.3.18)
【手続補正１】
【補正対象書類名】明細書
【補正対象項目名】全文
【補正方法】変更
【補正の内容】
【発明の名称】情報提供装置
【特許請求の範囲】
【請求項１】  遊技場内の遊技機毎に設けられた端末装置と、
端末装置に表示する表示情報を記憶している表示情報記憶装置とを備え、
端末装置には、複数の項目に対応させて、当該端末装置に固有の固有情報が記憶されており、
表示情報記憶装置は、端末装置からの指示に基づいて、固有情報を組み合わせる位置及び項目の指示を含む指令情報が含まれた表示情報を、指示してきた端末装置に送信し、
端末装置は、指示に基づいた表示情報を表示情報記憶装置から受信すると、受信した表示情報に含まれている指令情報に基づいて、指示された位置に指示された項目に対応する固有情報を、受信した表示情報に組み合わせて表示する、
ことを特徴とする情報提供装置。
【請求項２】  請求項１に記載の情報提供装置であって、
端末装置が表示情報に組み合わせる固有情報は、当該端末装置が設けられている遊技機に関する遊技情報であり、
端末装置は、遊技情報の提供を含む複数のメニューを表示し、表示したメニューの中から遊技情報の提供を指示されて遊技情報の提供に対応する表示情報を表示情報記憶装置から受信すると、受信した表示情報に含まれている指令情報に基づいて、指示された位置に指示された項目に対応する遊技情報を、受信した表示情報に組み合わせて表示する、
ことを特徴とする情報提供装置。
【請求項３】  請求項１または２に記載の情報提供装置であって、
端末装置は固有情報を随時更新しており、固有情報を受信した表示情報に組み合わせて表示している場合は表示画面の切り替えが指示されない限り、更新した固有情報に書き替えて表示する、
ことを特徴とする情報提供装置。
【請求項４】  遊技場内の遊技機毎に設けられた端末装置と、
端末装置に表示する表示情報を記憶している表示情報記憶装置と、
ＩＤカードの識別情報に対応させるとともに複数の項目に対応させた遊技情報を記憶している管理装置とを備え、
表示情報記憶装置は、端末装置からの指示に基づいて、遊技情報を組み合わせる位置及び項目の指示を含む指令情報が含まれた表示情報を、指示してきた端末装置に送信し、
端末装置は、当該端末装置が設けられている遊技機で遊技している遊技者のＩＤカードが入力されている場合、遊技情報の提供を含む複数のメニューを表示し、表示したメニューの中から遊技情報の提供を指示されると、遊技情報の提供に対応する表示情報を表示情報記憶装置から受信するとともに、ＩＤカードから読み取った識別情報に対応する遊技情報を管理装置から受信し、受信した表示情報に含まれている指令情報に基づいて、指示された位置に指示された項目に対応させた受信した遊技情報を、受信した表示情報に組み合わせて表示する、
ことを特徴とする情報提供装置。
【請求項５】  請求項１〜４のいずれかに記載の情報提供装置であって、
遊技場毎に設けられた表示情報記憶装置と、表示情報記憶装置に記憶させる表示情報を表示情報記憶装置に送信して記憶させる中央管理装置とを備える、
ことを特徴とする情報提供装置。
【発明の詳細な説明】
【０００１】
【発明の属する技術分野】
本発明は、パチンコ店等において遊技者が各遊技機で各種の情報の提供を受けることができるようにするための情報提供装置に関する。
【０００２】
【従来の技術】
従来、端末装置のユ−ザ−に情報提供を行うための情報提供装置として、各端末装置に接続された表示情報記憶装置を設置し、表示情報記憶装置にはインタ−ネットを介して受信したホ−ムペ−ジの画像情報や文字情報が含まれている表示情報、端末装置から送信されてくるメッセ−ジ等が含まれている表示情報、各端末装置に表示する案内情報等を含んでいる表示情報を記憶させておき、各端末装置で所望の表示情報を選択することにより表示情報記憶装置に記憶されている表示情報の中から所望の表示情報を受け取って表示手段に表示するものがある。この場合、インタ−ネットを介して受信する表示情報は画像情報の名称や所在位置、文字情報、画像情報や文字情報の表示位置等を示すＨＴＭＬ（Ｈｙｐｅｒ    Ｔｅｘｔ  Ｍａｒｋｕｐ  Ｌａｎｇｕａｇｅ）を用いて作成されているので、他の表示情報もＨＴＭＬを用いて作成して表示情報記憶装置に記憶させると各端末装置での表示情報に基づく表示手段への表示処理を規格化することができる。
一方、近年パチンコ店等においては、アウト玉数（打球数）、セ−フ玉数（賞品玉数）、特賞数（大当たり回数）、始動数（図柄変動回数）等の各遊技機に固有の遊技情報の提供による遊技者へのサ−ビス向上や、景品情報、競馬情報、天気予報、ニュ−ス等の遊技情報以外の情報の提供による遊技者への多様なニ−ズへの対応等が要望されている。
そこで、これらの各種の情報を各遊技機で遊技者に提供するために、各遊技機に設けられた端末装置と、各端末装置に接続された表示情報記憶装置とによって情報提供装置を構成することが考えられる。
この場合、時々刻々変化している各遊技機に固有の遊技情報はリアルタイムで提供する必要があるので、表示情報記憶装置に記憶している各遊技機の遊技情報を更新する処理を常時行わなければならない。また、遊技者が各遊技機の遊技情報の提供を指示した時、表示情報記憶装置は、各遊技機の遊技情報と遊技情報表示画面の情報とを組み合わせた表示情報を各端末装置に送信する処理を行わなければならない。
しかしながら、このような処理は表示情報記憶装置にとって負担が大きく、場合によってはリアルタイムに各遊技機の遊技情報を提供することができないこともある。
【０００３】
【発明が解決しようとする課題】
本発明は、前記問題点を解決するために創案されたものであり、各端末装置に固有の情報を表示情報記憶装置に負担をかけることなくリアルタイムに提供することができる情報提供装置を提供することを課題とする。
【０００４】
【課題を解決するための手段】
前記課題を解決するために、請求項１に記載の発明は、遊技場内の遊技機毎に設けられた端末装置と、端末装置に表示する表示情報を記憶している表示情報記憶装置とを備え、端末装置には、複数の項目に対応させて、当該端末装置に固有の固有情報が記憶されており、表示情報記憶装置は、端末装置からの指示に基づいて、固有情報を組み合わせる位置及び項目の指示を含む指令情報が含まれた表示情報を、指示してきた端末装置に送信し、端末装置は、指示に基づいた表示情報を表示情報記憶装置から受信すると、受信した表示情報に含まれている指令情報に基づいて、指示された位置に指示された項目に対応する固有情報を、受信した表示情報に組み合わせて表示するように構成する。
請求項１に記載の情報提供装置を用いれば、各端末装置に共通の表示情報と各端末装置に固有の情報とを組み合わせる処理は各端末装置で行うので、表示情報記憶装置には各端末装置に共通の表示情報のみを記憶すればよく、各端末装置に固有の情報を表示情報記憶装置に負担をかけることなくリアルタイムに提供することができる。
また、請求項２に記載の発明は、請求項１に記載の情報提供装置であって、端末装置が表示情報に組み合わせる固有情報は、当該端末装置が設けられている遊技機に関する遊技情報であり、端末装置は、遊技情報の提供を含む複数のメニューを表示し、表示したメニューの中から遊技情報の提供を指示されて遊技情報の提供に対応する表示情報を表示情報記憶装置から受信すると、受信した表示情報に含まれている指令情報に基づいて、指示された位置に指示された項目に対応する遊技情報を、受信した表示情報に組み合わせて表示するように構成する。
請求項２に記載の情報提供装置を用いれば、表示情報記憶装置に負担をかけることなく各遊技機の遊技情報をリアルタイムに提供することができ、遊技者へのサ−ビスを向上させることができる。
また、請求項３に記載の発明は、請求項１または２に記載の情報提供装置であって、端末装置は固有情報を随時更新しており、固有情報を受信した表示情報に組み合わせて表示している場合は表示画面の切り替えが指示されない限り、更新した固有情報に書き替えて表示するように構成する。
また、請求項４に記載の発明は、遊技場内の遊技機毎に設けられた端末装置と、端末装置に表示する表示情報を記憶している表示情報記憶装置と、ＩＤカードの識別情報に対応させるとともに複数の項目に対応させた遊技情報を記憶している管理装置とを備え、表示情報記憶装置は、端末装置からの指示に基づいて、遊技情報を組み合わせる位置及び項目の指示を含む指令情報が含まれた表示情報を、指示してきた端末装置に送信し、端末装置は、当該端末装置が設けられている遊技機で遊技している遊技者のＩＤカードが入力されている場合、遊技情報の提供を含む複数のメニューを表示し、表示したメニューの中から遊技情報の提供を指示されると、遊技情報の提供に対応する表示情報を表示情報記憶装置から受信するとともに、ＩＤカードから読み取った識別情報に対応する遊技情報を管理装置から受信し、受信した表示情報に含まれている指令情報に基づいて、指示された位置に指示された項目に対応させた受信した遊技情報を、受信した表示情報に組み合わせて表示するように構成する。
また、請求項５に記載の発明は、請求項１〜４のいずれかに記載の情報提供装置であって、遊技場毎に設けられた表示情報記憶装置と、表示情報記憶装置に記憶させる表示情報を表示情報記憶装置に送信して記憶させる中央管理装置とを備えるように構成する。
請求項５に記載の情報提供装置を用いれば、表示情報記憶装置に記憶する表示情報の変更や追加等を中央管理装置で行うことができるので、表示情報の変更や追加等を容易に行うことができる。
【０００５】
【発明の実施の形態】
以下に、本発明の実施の形態を図面を用いて説明する。
図１は、パチンコ店等における情報提供装置の概略構成図である。
図１において、１は、パチンコ機等の遊技機１であり、タッチパネルやタッチスイッチ等の入力手段、表示手段等を備えた端末装置２、大当たり時等において遊技機１から払い出されたパチンコ玉をカウントする計数機３、遊技者が保有しているＩＣカ−ド等のＩＤカ−ドに記憶されている情報の読み出しあるいは書き替え等を行うカ−ドリ−ダ−４等が設置されている。
端末装置２は、自己の端末装置が属する遊技機１のアウト玉数、セ−フ玉数、特賞数、始動数、売上げ額等の各遊技機１に固有の遊技情報を記憶可能であり、常時あるいは営業時間終了後等に遊技情報を管理装置５に送信する。また、カ−ドリ−ダ−４を介して各遊技者のＩＤカ−ドと情報の送受信を行う。さらに、遊技者がタッチパネル等を操作して所望の表示情報の提供を指示すると、所望の表示情報を表示情報記憶装置６から受け取り、受け取った表示情報が遊技情報に関する表示情報である場合には受け取った表示情報と自己の端末装置が属する遊技機の遊技情報とを組み合わせて表示手段に表示する。
５は、ＩＤカ−ドを保有する各遊技者の貯玉数、景品玉数等の遊技者情報、各遊技機の遊技情報等の遊技機情報を記憶装置７にデ−タベ−ス（ＤＢ）として記憶して管理する管理装置である。ここで、貯玉とは手数料を支払うことにより翌日以降でも再遊技可能で、かつ手数料無しで景品と交換可能な玉であり、景品玉とは当日に限って手数料無しで再遊技あるいは景品交換可能な玉である。なお、景品玉は貯玉に変更することができる。管理装置５は、各遊技者の貯玉や景品玉を管理する貯玉／景品玉管理装置と各遊技機の情報を管理する遊技機管理装置とにより構成することもできる。
６は、端末装置２に表示する各種の表示情報を記憶する表示情報記憶装置である。
８は、通信装置１０、通信用モデム１１、１２、通信回線９を介して各パチンコ店に設けられている管理装置５や表示情報記憶装置６と通信を行い、管理情報の送受信や表示情報記憶装置６に記憶されている表示情報の更新や追加等を行う中央管理装置である。
端末装置２、管理装置５、表示情報記憶装置６、通信装置１０はＬＡＮ等の通信回線で接続されている。
なお、通信回線は、有線の通信回線に限らず、光や電波等を用いた無線の通信回線を用いることができる。
【０００６】
次に、図１に示した情報提供装置の動作を説明する。
中央管理装置８は、インタ−ネットを介して予め定められた時間等にニュ−ス、天気予報、競馬情報等に関するホ−ムペ−ジの表示情報を読み込んで記憶手段に格納し、また景品情報、地域情報、新台情報等に関する表示情報を作成して記憶手段に格納し、さらに各端末装置に固有の情報を表示するための固有情報表示画面、この場合各端末装置が属している遊技機の遊技情報を表示するための遊技情報表示画面に関する表示情報を作成して記憶手段に格納する。そして、予め定められた時間あるいは表示情報の変更や追加が行われた時等に、表示情報を通信回線９、通信装置１０を介して各パチンコ店に設置されている表示情報記憶装置６に送信して記憶させる。中央管理装置８から各種の表示情報を各パチンコ店に設置されている表示情報記憶装置６に送信して記憶可能に構成すると、表示情報の変更や表示情報の追加を行う時に中央管理装置８のＲＯＭの交換作業あるいはプログラムの変更作業だけですみ、各パチンコ店に設置されている表示情報記憶装置６のＲＯＭの交換作業あるいはプログラムの変更作業が不要となるので、表示情報の変更や追加を容易に行うことができる。
ここで、遊技情報表示画面は各パチンコ店によって異なる場合もあるので、中央管理装置８は各パチンコ店の要望に応じた遊技情報表示画面に関する表示情報を送信可能に構成する。また、遊技情報表示画面に関する表示情報には、遊技情報表示画面上に表示される各遊技情報の項目コ−ド、桁数、書式、色情報、フォント情報、表示位置等の指令情報が含まれている。
また、中央管理装置８は、通信回線９、通信装置１０を介して各パチンコ店に設置されている管理装置５と通信を行い、管理情報の送受信も行う。
一方、遊技機１に設置されている端末装置２は、遊技機１のアウト数、セ−フ数、特賞数、始動数、売上げ額等の遊技情報を常時入力して累積し、例えば１日単位の累積値を記憶手段に記憶する。
【０００７】
遊技者が遊技を開始するためにＩＤカ−ドをカ−ドリ−ダ−４に挿入し、暗証番号の入力等を行うと、端末装置２はカ−ドリ−ダ−４で読み取ったＩＤカ−ドの番号や入力された暗証番号を管理装置５に送信してＩＤカ−ドの認証を問い合わせる。
管理装置５は、ＩＤカ−ドの認証が確認されたらデ−タ−ベ−スから当該遊技者の貯玉数、景品玉数を読み出して端末装置２に送信する。
端末装置２は、管理装置５から送られてきた貯玉数、景品玉数を表示手段に表示して遊技者に遊技開始可能を知らせる。
【０００８】
遊技開始時、遊技中、遊技終了時等に遊技者が所望の情報を見たい場合には、端末装置２の表示手段のメニュ−画面で情報提供を選択する。これにより、表示手段には図２に示すような情報提供のメインメニュ−画面が表示される。
この情報提供のメインメニュ−画面で遊技者が遊技情報を選択すると、端末装置２は遊技情報表示画面に関する表示情報を表示情報記憶装置６から受け取る。そして、遊技情報表示画面に関する表示情報に含まれている指令情報を解析して必要な遊技情報を順次読み出し、指示された位置、フォント、色等に応じて遊技情報表示画面に組み合わせて表示手段に表示する。例えば、図３に示すように破線で囲まれた位置２０〜２３にそれぞれアウト数が１０００２００個、セ−フ数が３０２００個、特賞数が１２回、始動数が５３０回という遊技情報が書き込まれた遊技情報表示画面を表示する。
そして、この遊技情報の表示画面の切り替えが指示されない限り、遊技情報の更新デ−タをリアルタイムに読み出し、遊技情報表示画面上の遊技情報の書き替えを行う。
【０００９】
一方、メインメニュ−画面でその他の情報を選択すると、図４に示すように各端末装置に共通のその他の情報の選択メニュ−画面が表示される。
そして、遊技者がその他の情報の選択メニュ−画面で所望の情報を選択すると、端末装置２は表示情報記憶装置６から選択された所望の情報に関する表示情報を受け取り、表示手段に表示する。
【００１０】
以上の実施の形態では端末装置に固有の情報として遊技機の遊技情報を表示する場合について説明したが、端末装置に固有の情報としては遊技機の遊技情報に限定されない。
また、例えば１週間分の遊技情報を表示する遊技情報表示画面の場合等のように必要な遊技情報が端末装置の記憶手段に記憶されていない時には管理装置５から必要な遊技情報を受け取るようにしてもよい。
また、ニュ−ス、天気予報、競馬情報等に関するインタ−ネットのホ−ムペ−ジの表示情報や景品情報、地域情報、新台情報、遊技情報表示画面に関する表示情報等を一旦中央管理装置の記憶手段に格納し、これらの表示情報を中央管理装置から各パチンコ店の表示情報記憶装置に送信して記憶させるようにしたが、これらの表示情報を各パチンコ店の表示情報記憶装置に直接記憶させるようにしてもよい。
また、パチンコ店における情報提供装置について説明したが、パチンコ店以外の情報提供装置としても用いることができる。
【００１１】
【発明の効果】
以上説明したように、請求項１に記載の情報提供装置を用いれば、各端末装置に固有の情報を表示情報記憶装置に負担をかけることなくリアルタイムに提供することができる。
また、請求項２〜４のいずれかに記載の情報提供装置を用いれば、表示情報管理装置に負担をかけることなく各遊技機の遊技情報をリアルタイムに提供することができ、遊技者へのサ−ビスを向上させることができる。
また、請求項５に記載の情報提供装置を用いれば、表示情報の変更や追加等を容易に行うことができる。
【図面の簡単な説明】
【図１】本発明の情報提供装置の一実施の形態の概略構成図である。
【図２】情報提供のメインメニュ−画面である。
【図３】遊技情報表示画面の例である。
【図４】その他の情報のメニュ−画面の例である。
【符号の説明】
１  遊技機
２  端末装置
３  計数機
４  カ−ドリ−ダ−
５  管理装置
６  表示情報記憶装置
７  記憶装置
８  中央管理装置